(57)【要約】【課題】粘着テープクリーナには粘着ロールペーパーに形状から、ゴミを集めることができない隅部に制約がある。【解決手段】粘着テープクリーナの掃除しきれない領域があり、この掃除できない領域のゴミを掻き出し、集めるためにブラシを粘着テープクリーナの中心軸延長線上に内部に配置し、粘着テープクリーナの回転力を利用し、ブラシを押し出しまたは引き込める力を作用させることができるブラシ併用粘着テープクリーナとする。【選択図】図２
2014004306.tif 000002
【特許請求の範囲】
【請求項１】
粘着テープクリーナにおいては、粘着テープクリーナの持つ構造的な制約から隅部分について掃除しきれない領域があり、この掃除できない領域のゴミを掻き出し、集めるために粘着テープクリーナの中心軸延長線上に収容したブラシと、粘着テープクリーナの回転力を利用し前記ブラシを押し出しまたは引き込める力を作用させる機構を収容したブラシ併用粘着テープクリーナ。
【請求項２】
請求項１のブラシを押し出しまたは引き込める力を作用させる機構は、回転する粘着ロールペーパー保持器の内部円筒部分に設けたブラシ送りキー凸部と、さらにブラシを連結して前後に移動可能な螺旋部に掘切状で、壁面が前記ブラシ送りキー凸部の側部に接する螺旋溝を設けて、前記ブラシ送りキー凸部と前記螺旋溝との相互作用にて前記螺旋部を前または後に移動させ、この結果により前記ブラシの出し入れを行うため、前記螺旋部を前後に移動するガイドの役目をなし、前記粘着ロールペーパー保持器の回転にかかわらず固定された角形パイプを含む機構を備えたブラシ併用粘着テープクリーナ。
【請求項３】
請求項２のブラシを押し出しまたは引き込める力を作用させる機構は、前記螺旋溝の範囲から前記ブラシ送りキー凸部の位置が外れたときには、ブラシを押し出しまたは引き込み動作は行わず、粘着テープクリーナを押し続けるか、引き続けることができる機構を持つブラシ併用粘着テープクリーナ。
【請求項４】
請求項２のブラシを押し出しまたは引き込める力を作用させる機構は、前記ブラシ送りキー凸部を磁性体とすることにより前記螺旋溝の２カ所の端部から前記ブラシ送りキー凸部を前記螺旋溝に戻すため吸引力を発生するために、前記螺旋溝の端部に磁石を設けたブラシ併用粘着テープクリーナ。
【発明の詳細な説明】
【技術分野】
【０００１】    この発明は、粘着テープクリーナに小さなゴミを掻き集めるブラシを出し入れ可能に収容したブラシ併用粘着テープクリーナに関する。
【背景技術】
【０００２】    小さなゴミを掃除する作業で電気掃除機を持ち出すまでもない日常生活作業の中で発生する糸ゴミ、綿ゴミ、砂ゴミ、人髪などの小さなゴミを掃除し、取り除くために、従来から粘着テープクリーナが用いられているが、巻紙状に多重に巻き付けた粘着ロールペーパーを用い、ゴミの付着状況に応じて粘着ロールペーパーを一層ごとに粘着シートとして取り除いて、粘着テープクリーナを使用する。しかし、この粘着テープクリーナの構造的な関係から、平らな面から垂直に立ち上がる隅部分のゴミは取り除けない。また、粘着力の関係から平面部分にこびり付いたゴミも粘着ロールペーパーで取り除けないことがある。そこで粘着テープクリーナにブラシを収容しておき、収容している前記ブラシでゴミを掻き集めることを可能とする。収容しているブラシの押し出しや引き込みは、粘着テープクリーナでゴミを粘着する転がし方向とは逆または正方向に転がすことにより、収容しているブラシの押し出し・引き込み機構を動かし、このブラシにてゴミを粘着ロールペーパーに付着できるところまで掻き出し、掻き出した後は粘着ロールペーパーに付着させ掃除するブラシ併用粘着テープクリーナを提案する。
【先行技術文献】
【特許文献】
【０００３】
【特許文献１】実公告昭３８−２６７１３号
【特許文献２】特開平９−１９２０７０号
【特許文献３】特開平１０−３２３３２０号
【発明の概要】
【発明が解決しようとする課題】
【０００４】    粘着ロールペーパー及びその他の掃除機能による特許文献事例を説明する。特許文献２に示す事例は、電気掃除機吸引口の近くで必要に応じて粘着テープクリーナを便宜的に取り付けることとしており、特許文献１は、ブラシと粘着テープクリーナを複合して用いる掃除機能が用いられるが、ブラシが出し入れできる構造ではない。また、特許文献３は、異なる掃除機能を可動のフレームに取付け、操作によりいずれかの掃除機能を用いて掃除を行うものであり、ブラシを内部に収容する構造ではない。【０００５】    上記に示した特許文献２の場合は、電気掃除機の使い方で、平らな部分から立ち上がる隅部分のゴミをとることは可能であるが、大げさな電気掃除機を持ち出してくる必要がある。他方、特許文献１及び３の場合は、嵩が高く、粘着ロールペーパーの保持機構の制約から上記の隅のゴミは取り切れない。
【課題を解決するための手段】
【０００６】    粘着テープクリーナには、上記の隅の範囲として、粘着ロールペーパーの直径方向では粘着ロールペーパーが円筒形をしていること、また、粘着ロールペーパーの長さ方向には、粘着ロールペーパーの取付け機構及び操作ハンドルの出っ張り等の構造的な制約から、ゴミを取り除けない範囲がある。この取り除けない範囲をなくするためには、別個にブラシや箒を使用することが通常であるが、必要なときにブラシや箒を準備するのは煩わしい。そこで粘着ロールペーパーの構造の中にブラシを収容するために、粘着ロールペーパーの回転軸延長線上に収容することとして、粘着ロールペーパーをコロコロと転がす回転力を、ブラシ押し出しまたは引き込みに応用する構造とすることでブラシの収容を実現する。
【発明の効果】
【０００７】    上記のように隅のゴミの取り残しをなくするために電気掃除機を持ち出すには、煩わしいし、そのために電気掃除機を持ち出してくる必要があり、電気掃除機を持ち出してくるのであれば粘着テープクリーナを用いるまでもない。また、別個に準備するブラシや箒のたぐいを用いる場合は常に手元にあるとは限らないため余分な動きや作業姿勢の変更が必要となる。そこで粘着テープクリーナにブラシを収容することが考えられるが、取り出し操作を要する。これに対して粘着ロールペーパーの回転軸の延長線上にブラシを収容し、粘着ロールペーパーの回転方向をブラシの出し入れの制御に活用することで、操作が簡単であると共に操作の姿勢もあまり変えることなく、ブラシの出し入れ、ゴミの掻き出しが可能となるので、操作が簡単で、使い勝手がよく、ブラシ出し入れ機構を粘着ロールペーパーの回転中心軸の延長線上に置くことで構造が簡単となる。
【図面の簡単な説明】
【０００８】
【図１】  本発明のブラシ併用粘着テープクリーナの外観図
【図２】  収容ブラシを押し出したときの本発明の図１のＡ−Ａ断面図
【図３】  収容ブラシを引き込んだときの本発明の図１のＡ−Ａ断面図
【図４】  角パイプを固定するための凹み説明図
【図５】  収容ブラシの出し入れ機構説明図
【発明を実施するための形態】
【０００９】    粘着テープクリーナによる掃除は、日常生活作業の中で発生する糸ゴミ、綿ゴミ、砂ゴミ、人髪などの小さなゴミを軽易に掃除し、取り除くために用いる掃除道具であり、掃除のための付属部品を取り出し、特別な付属のブラシや箒などを取り寄せ、これらの付属品を用いて平面から立ち上がる隅部分のゴミを掻き出したり、平らなところでのこびり付いているゴミを浮き上がらせるのは、粘着テープクリーナの転がし作業の中断をよぎなくするため、本来の軽易の掃除には相応しくなく、ゴミの掻き出しやこびり付きを剥がすためのブラシを粘着テープクリーナの内部に収容しておき、前記押し出し・引き込みできるブラシを簡単な操作で取り出せる構造を採用している。
【００１０】    前記ブラシの組み込みを粘着テープクリーナの中心軸の延長線上に収容し、粘着ロールペーパーを転がす動きを利用して、前記ブラシの出し入れを可能とする方法を合わせて組み込むブラシ併用粘着テープクリーナを実現する。
【実施例】
【００１１】    本発明の実施例につき図面を用いて説明する。図１はブラシ併用粘着テープクリーナ１の外観図であり、ブラシ併用粘着テープクリーナのブラシ１３の後方内部にブラシ押し出し・引き込み機構が含まれる内部構造は図２及び図３にて説明する。また、ブラシ併用粘着テープクリーナ１の外郭には粘着ロールペーパー１４が、ブラシ併用粘着ロールペーパー保持器２の周りにはめ込まれている。さらに、後方にはブラシ併用粘着テープクリーナ１を操作する棒状の操作用持ち手につながっている。操作用持ち手１５の棒状部分は扱い者の便宜を図るため図示していないが、伸縮自在パイプを用いることにより、操作者の身長や適用場所に合わせて操作用持ち手１５の高さを調整する構造であってもよい。また当然ながら粘着ロールペーパー１４の表面の粘着シートはゴミの付着状況により１枚ずつ剥がして使用する。【００１２】    本発明のブラシ押し出し・引き込み構造については図２及び図３を用いて説明する。図３の操作用持ち手１５につながる操作棒（一部）３の粘着ロールペーパ位置決め金具６までの操作棒（一部）部分３ａは、粘着ロールペーパー保持器２を回転させるために用い、粘着ロールペーパー位置決め金具６を通過した操作棒（一部）部分３ｂは、ブラシ及びブラシ押し出し・引き込み機構をスライドさせるために用いる。また、図２に示すように粘着ロールペーパー保持器２は、粘着ロールペーパー止め４と操作棒の止め金具５で挟み、さらに粘着ロールペーパー位置決め金具６を粘着ロールペーパー位置決め金具固定ねじ７にて取り付けてあり、粘着ロールベーパー保持器２を揺れが少なく回転できるよう固定する。【００１３】    図２において粘着ロールペーパー位置決め金具６を通過した操作棒（一部）部分３ｂには、ブラシぶれ止め角パイプ１１を被せ、ブラシ送り螺旋部８のぶれ止めスライド部８ａを通して、ブラシぶれ止め用ナット１２にて締め付ける。前記ぶれ止めスライド部８にはブラシぶれ止め角パイプ１１の形状に対応する角孔がブラシ送り螺旋部８のぶれ止めスライド部８ａに穿孔しているので、ブラシ送り螺旋部８は、回転することなく粘着ロールペーパー保持器２の内側に固定されているブラシ送りキー凸部１０の回転力をブラシ送り螺旋部８で受ける力により前後に移動する。ブラシの押し出しまたは引き込みの様子は、上記角パイプに沿ってブラシ送り螺旋部８が移動し図２及び図３に示している。【００１４】    ブラシぶれ止め角パイプ１１が接する粘着ロールペーパー位置決め金具６には、図４に示すブラシぶれ止め角パイプ１１の外形に適合する角形の凹み１８を設け、この角形の凹み１８を用いてブラシぶれ止め角パイプ１１をブラシぶれ止め用ナット１２により締め付けることで、ブラシ送り螺旋部８の取付基準位置が明確となり、ブラシ押し出し・引き込み構造の組み立てが容易となる。【００１５】    ブラシの出し入れ機構は、図５のブラシ送りキー凸部１０とブラシ送り螺旋部８に設けられているブラシ送り螺旋溝９との関係で作用する力によりブラシの押し出しまたは引き込みを行う。ブラシ送りキー凸部１０は、粘着ロールペーパー保持器２の内周に設けているので、粘着ロールペーパー１４をコロコロと転がすことにより、操作棒���止め金具５から一定の距離Ｂの粘着ロールペーパー保持器２の内周面にて回転する。他方ブラシ送り螺旋部８は、ブラシぶれ止め角パイプ１１及びブラシぶれ止め用ナット１２により前後に移動するように配置しているので、上記ブラシ送りキー凸部１０の回転は、ブラシ送り螺旋部８の表面にそって掘切状で、壁面がブラシ送りキー凸部１０の側部に接するブラシ送り螺旋溝９の側部壁面に押し出しまたは引き込み力として作用し、ブラシ送り螺旋部８全体を押し出しまたは引き込み力として作用する。図５は、座標をブラシ送りキー凸部１０に固定して模擬的に示しているので、あたかもブラシ送り螺旋溝９が回転、移動しているかのように見えるが、円又は楕円で示す位置は粘着ロールペーパー１４をコロコロと転がしたときの一定間隔でのブラシ送りキー凸部１０の位置を模擬的に示し、一例として示す距離Ｘは、鎖線で示す楕円の位置にブラシ送りキー凸部１０が来たときにブラシの送り始めから距離Ｘだけ進んでいることを示している。同様にブラシ送りキー凸部１０の瞬時位置によりブラシ送り螺旋部８が前後に移動することを示している。【００１６】    図２、図３及び図５に示しているブラシの押し出しまたは引き込み動作は、前記のように粘着ロールペーパー１４をコロコロと転がし、回転力をブラシ送り螺旋部８を前後に移動する力に変換する仕組みとなっているが、ブラシを出し入れするブラシ送り螺旋部８が移動する範囲は、ブラシ送り螺旋部８に掘切状のブラシ送り螺旋溝９の範囲Ｙに限られ、粘着ロールペーパー１４を自由にコロコロと回転させるためには、ブラシ送りキー凸部１０をＹの外側の図２または図３の位置にしておくことが望ましい。【００１７】    ブラシを引き込むときまたは押し出すときには、ブラシ送りキー凸部１０が図２または図３の位置から、ブラシ送り螺旋溝９に戻すことが必要となるがブラシ送り螺旋溝９の両端部に磁石１６、１７を設置しており、ブラシ送りキー凸部１０を磁性体とすることによりブラシ送りキー凸部１０との間で吸引力を発生させ、ブラシ送り螺旋溝９をブラシ送りキー凸部１０側に引き寄せ、ブラシ送りキー凸部１０をブラシ送り螺旋溝９の側壁に沿い移動させることで、図２の状態から図３の状態またはその逆の図３から図２の状態に変化させ、この動作を通してブラシを押し出し・引き込み動作を実現する。
【産業上の利用可能性】
【００１８】    以上に本発明を床面等の軽易な清掃を対象に粘着ロールクリーナの利用を主に記述してきたが、粘着ロールクリーナの適用が支障となる凹凸が激しい車両の座席などのクリーナや、折り返しや縫い目の埃が気にかかる衣類のほこり取り、さらには電子機器平面表示器や操作盤など工業製品の清掃用としても適用できることは言うまでもない。
【符号の説明】
【００１９】１  ブラシ併用粘着テープクリーナ
２  粘着ロールペーパー保持器
３  操作棒（一部）につながる粘着ロールペーパー回転用芯棒
４  粘着ロールペーパー止め
５  操作棒の止め金具
６  粘着ロールペーパー位置決め金具
７  粘着ロールペーパー位置決め金具固定ねじ
８  ブラシ送り螺旋部
９  ブラシ送り螺旋溝
１０  ブラシ送りキー凸部
１１  ブラシぶれ止め角パイプ
１２  ブラシぶれ止め用ナット
１３  ブラシ
１４  粘着ロールペーパー
１５  操作用持ち手
１６  ブラシ引き込み用磁石
１７  ブラシ押し出し用磁石
１８  角形の凹み
１９  粘着ロールペーパー回転用芯棒貫通孔
２０  固定ねじ孔
Ｂ    ブラシ送りキー部位の位置
Ｃ１  ブラシ引き込み状態とするキー凸部引き込み位置
Ｃ２  ブラシ押し出し状態とするキー凸部引き込み位置
Ｄ１  ブラシ引き込み状態でキー凸部がＹからはずれる経路
Ｄ２  ブラシ押し出し状態でキー凸部がＹからはずれる経路
Ｘ    ブラシ送りキー凸部との関係で移動するブラシ送り螺旋溝の位置
Ｙ    ブラシ送りキー凸部との関係で移動するブラシ送り螺旋溝による移動範囲
【図１】
2014004306.tif 000003
【図２】
2014004306.tif 000004
【図３】
2014004306.tif 000005
【図４】
2014004306.tif 000006
【図５】
2014004306.tif 000007